(57)【要約】【課題】  ユニットバスルームにおける施工の省力化を図り得る天井パネルと壁パネルの連結構造を提供する。【解決手段】  本発明の天井パネルと壁パネルの連結構造によれば、天井廻し縁嵌着部３を介して、ジョイナー４に嵌着可能な天井廻し縁５ａを嵌着し得るので、天井廻し縁５（ここでは、天井廻し縁５ａ）を天井パネル１と壁パネル２との間に配置する際の作業者の熟練度の差異に起因する仕上がり精度のバラツキ等を効果的に回避でき、天井パネル１と壁パネル２の連結に加えて、天井廻し縁５の取付けについても簡便且つ省力的に施工を完了でき、ユニットバスルーム６におけるさらなる施工の省力化に寄与し得ることとなる。【選択図】図１
2005307528.tif 000002
【特許請求の範囲】
【請求項１】
天井パネルと、壁パネルとを、天井廻し縁嵌着部を具備するジョイナーを介して連結する天井パネルと壁パネルの連結構造であって、前記天井廻し縁嵌着部を介して、前記ジョイナーに天井廻し縁を嵌着し得ることを特徴とする天井パネルと壁パネルの連結構造。
【請求項２】
前記ジョイナーを、前記壁パネルの上端部に形成した立ち上がり片と、前記天井パネルからの垂下片との間に介在せしめ、前記立ち上がり片及び前記ジョイナーを内側から前記垂下片に取付ネジで螺着することを特徴とする請求項１記載の天井パネルと壁パネルの連結構造。
【発明の詳細な説明】
【技術分野】
【０００１】
本発明は、ユニットバスルームにおける天井パネルと壁パネルの連結構造に関するものである。
【背景技術】
【０００２】
従来から、ユニットバスルーム６における天井廻し縁５と壁パネル２との接合構造として、例えば、図３に示すように、壁パネル２のフレーム１０の上部に形成した立ち上がり片７と天井パネル１のフレーム１１からの垂下片８とを取付ネジ９で固定するとともに、壁パネル２の係合凹部１２に天井廻し縁（化粧縁）５を打ち込み固定したものが知られている。ここで、図３は、従来例に係る天井パネルと壁パネルの連結構造の概略を模式的に示すもので、（ａ）は、壁パネル２の係合凹部１２に天井廻し縁５を打ち込み固定する様子を示す図、（ｂ）は、壁パネル２の係合凹部１２に天井廻し縁５を打ち込み固定した後の様子を示す図である。
【０００３】
すなわち、上記天井廻し縁５は、材質は軟質塩化ビニル系のものを使用しているが、これを天井パネル１と壁パネル２との間の上記係合凹部１２に打ち込んで天井廻し縁５の側面１３、１４を天井パネル１の端面１５と壁パネル２の端面１６にそれぞれ圧接させることにより止水するものである。
【０００４】
ところが、かかる従来の天井パネル１と壁パネル２との接合部については、以下のような問題点が指摘されていた。すなわち、天井廻し縁５を天井パネル１と壁パネル２との間に打ち込む際には、強い反発力を受けることとなり、また、軟質塩化ビニル系の天井廻し縁５は周囲の温度により材質硬度が変化する性質があるため、一層、打ち込み難いものとなる。このため、作業者の熟練度によって仕上がり精度に差が生じ易く、また、天井パネル１と壁パネル２との間に一定のクリアランスを確保する必要があるため、天井ビス止め箇所が多くなり、施工に手間がかかる等である。
【０００５】
一方、本願出願人においても、かかる問題点に対応するため、既に、特開平６−１４６５６６号公報（特許文献１）等において、施工精度の向上と施工の省力化を図った天井廻し縁の取付構造を開示している。
【０００６】
しかしながら、かかるユニットバスルーム用途における天井パネルと壁パネルとの取付構造においては、さらなる施工の省力化が重要な解決課題となっている。この点、上記特許文献１に開示した取付構造においても、なお、かかるユニットバスルームの施工の省力化の観点からは、さらなる改良の余地を残すものであった。
【特許文献１】特開２００３−２１３８６０号公報
【発明の開示】
【発明が解決しようとする課題】
【０００７】
本発明は、上記背景技術に鑑みて発明されたものであり、その課題は、ユニットバスルームにおけるさらなる施工の省力化を図り得る天井パネルと壁パネルの連結構造を提供することである。
【課題を解決するための手段】
【０００８】
上記課題を解決するために、請求項１に係る発明の天井パネルと壁パネルの連結構造にあっては、天井パネルと、壁パネルとを、天井廻し縁嵌着部を具備するジョイナーを介して連結する天井パネルと壁パネルの連結構造であって、前記天井廻し縁嵌着部を介して、前記ジョイナーに天井廻し縁を嵌着し得ることを特徴とするものである。
【０００９】
請求項２に係る発明の天井パネルと壁パネルの連結構造にあっては、請求項１記載の天井パネルと壁パネルの連結構造において、前記ジョイナーを、前記壁パネルの上端部に形成した立ち上がり片と、前記天井パネルからの垂下片との間に介在せしめ、前記立ち上がり片及び前記ジョイナーを内側から前記垂下片に取付ネジで螺着することを特徴とするものである。
【発明の効果】
【００１０】
本発明の天井パネルと壁パネルの連結構造では、天井パネルと、壁パネルとを、天井廻し縁嵌着部を具備するジョイナーを介して連結する天井パネルと壁パネルの連結構造であって、前記天井廻し縁嵌着部を介して、前記ジョイナーに天井廻し縁を嵌着し得るので、従来からの天井パネルと壁パネルの連結構造の問題点、例えば、天井廻し縁を天井パネルと壁パネルとの間に打ち込む際の作業者の熟練度の差異に起因する仕上がり精度のバラツキ等を効果的に回避でき、天井パネルと壁パネルの連結に加えて、天井廻し縁の取付けについても簡便且つ省力的に施工を完了でき、ユニットバスルームにおけるさらなる施工の省力化を図り得ることとなる。
【発明を実施するための最良の形態】
【００１１】
以下、本発明の実施形態を図面に基づき説明する。なお、本発明の天井パネルと壁パネルの連結構造は、下記の実施形態にのみ限定されるものではなく、本発明の要旨を逸脱しない範囲内において種々変更を加え得ることは勿論である。ここで、図１は、本発明の一実施形態である天井パネルと壁パネルの連結構造の概略を模式的に示すもので、（ａ）は、天井廻し縁嵌着部３を介してジョイナー４に天井廻し縁５ａを嵌着する様子を示す図、（ｂ）は、ジョイナー４に天井廻し縁５ａを嵌着した後の様子を示す図である。一方、図２は、本発明の一実施形態である天井パネルと壁パネルの連結構造の施工手順の概略を模式的に示すもので、（ａ）は、壁パネル２の立ち上がり片７にジョイナー４を取付ける様子を示す図、（ｂ）は、ジョイナー４を、立ち上がり片７と垂下片８との間に介在するように配置する様子を示す図、（ｃ）は、ユニットバスルーム６の内側から、天井廻し縁嵌着部３を介してジョイナー４に天井廻し縁５ａを嵌着する様子を示す図である。
【００１２】
すなわち、本実施形態の天井パネルと壁パネルの連結構造は、図１に示すように、天井パネル１と、壁パネル２とを、天井廻し縁嵌着部３を具備するジョイナー４を介して連結する天井パネルと壁パネルの連結構造である。さらに、本実施形態の天井パネルと壁パネルの連結構造は、前記天井廻し縁嵌着部３を介して、ジョイナー４に天井廻し縁５（ここでは、上記天井廻し縁嵌着部３を介してジョイナー４に嵌着可能な天井廻し縁５ａ）を嵌着し得るものである。この結果、上記図３に示した従来例に係る天井パネルと壁パネルの連結構造の問題点、例えば、天井廻し縁５を天井パネル１と壁パネル２との間に打ち込む際の作業者の熟練度の差異に起因する仕上がり精度のバラツキ等を効果的に回避でき、天井パネル１と壁パネル２の連結に加えて、天井廻し縁５の取付けについても簡便且つ省力的に施工を完了でき、ユニットバスルーム６におけるさらなる施工の省力化に寄与し得ることとなる。さらに、本実施形態では、ジョイナー４を、壁パネル２の上端部（端面１６）に形成した立ち上がり片７と、天井パネル１からの垂下片８との間に介在せしめ、前記立ち上がり片７及びジョイナー４を内側から前記垂下片８に取付ネジ９で螺着することができるものである。この結果、上記図３に示した従来例に係る天井パネル１と壁パネル２をそのまま使用して、これに、天井廻し縁嵌着部３を具備するジョイナー４を、壁パネル２の上端部に形成した立ち上がり片７と、天井パネル１からの垂下片８との間に介在せしめ、上記従来例と同様に、ユニットバスルーム６の内側から立ち上がり片７、垂下片８とともに取付ネジ９で螺着するだけで、天井廻し縁嵌着部３を介してジョイナー４に嵌着可能な天井廻し縁５ａを簡便且つ省力的に嵌着できることとなり、ユニットバスルーム６におけるさらなる施工の省力化に寄与し得るのみならず、従来例に係る部材を有効活用でき、部品点数の増加を抑制できるので、この意味においても、さらなる施工の合理化に寄与し得ることとなる。
【００１３】
具体的には、本実施形態の天井パネルと壁パネルの連結構造の施工は、例えば、以下のような手順で成し得る（図２（ａ）〜（ｃ）参照）。
（１） 壁パネル２のフレーム１０の上部に形成した立ち上がり片７に天井廻し縁嵌着部３を具備するジョイナー４を取付ける（図２（ａ）参照）。
（２） ジョイナー４を、上記立ち上がり片７と、天井パネル１のフレーム１１からの垂下片８との間に介在するように配置し（図２（ｂ）参照）、この後、ユニットバスルーム６の内側から立ち上がり片７、垂下片８とともに取付ネジ９で螺着する。
（３） ユニットバスルーム６の内側から、天井廻し縁嵌着部３を介してジョイナー４に天井廻し縁５ａを嵌着する（図２（ｃ）参照）。
【００１４】
このように、かかる本実施形態の天井パネルと壁パネルの連結構造によれば、天井廻し縁嵌着部３を介して、ジョイナー４に嵌着可能な天井廻し縁５ａを嵌着し得るので、従来の天井パネルと壁パネルの連結構造における不具合、例えば、天井廻し縁５を天井パネル１と壁パネル２との間に打ち込む際の作業者の熟練度の差異に起因する仕上がり精度のバラツキ等を効果的に回避でき、天井パネル１と壁パネル２の連結に加えて、天井廻し縁５の取付けについても簡便且つ省力的に施工を完了でき、ユニットバスルーム６におけるさらなる施工の省力化に寄与し得ることとなる。さらに、本実施形態では、ジョイナー４を、壁パネル２の上端部に形成した立ち上がり片７と、天井パネル１からの垂下片８との間に介在せしめ、前記立ち上がり片７及びジョイナー４を内側から前記垂下片８に取付ネジ９で螺着することができるので、上記した従来例に係る天井パネル１と壁パネル２をそのまま使用して、これに、天井廻し縁嵌着部３を具備するジョイナー４を、壁パネル２の上端部に形成した立ち上がり片７と、天井パネル１からの垂下片８との間に介在せしめ、ユニットバスルーム６の内側から立ち上がり片７、垂下片８とともに取付ネジ９で螺着するだけで、ジョイナー４に嵌着可能な天井廻し縁５ａを簡便且つ省力的に嵌着できることとなり、従来例に係る部材を有効活用でき、部品点数の増加を抑制できるので、さらなる施工の合理化に寄与し得ることとなる。
【図面の簡単な説明】
【００１５】
【図１】本発明の一実施形態である天井パネルと壁パネルの連結構造の概略を模式的に示すもので、（ａ）は、天井廻し縁嵌着部３を介してジョイナー４に天井廻し縁５ａを嵌着する様子を示す図、（ｂ）は、ジョイナー４に天井廻し縁５ａを嵌着した後の様子を示す図である。
【図２】本発明の一実施形態である天井パネルと壁パネルの連結構造の施工手順の概略を模式的に示すもので、（ａ）は、壁パネル２の立ち上がり片７にジョイナー４を取付ける様子を示す図、（ｂ）は、ジョイナー４を、立ち上がり片７と垂下片８との間に介在するように配置する様子を示す図、（ｃ）は、ユニットバスルーム６の内側から、天井廻し縁嵌着部３を介してジョイナー４に天井廻し縁５ａを嵌着する様子を示す図である。
【図３】従来例に係る天井パネルと壁パネルの連結構造の概略を模式的に示すもので、（ａ）は、壁パネル２の係合凹部１２に天井廻し縁５を打ち込み固定する様子を示す図、（ｂ）は、壁パネル２の係合凹部１２に天井廻し縁５を打ち込み固定した後の様子を示す図である。
【符号の説明】
【００１６】
１    天井パネル
２    壁パネル
３    天井廻し縁嵌着部（ジョイナー４）
４    ジョイナー
５    天井廻し縁（化粧縁）
５ａ  天井廻し縁（化粧縁）
６    ユニットバスルーム
７    立ち上がり片（フレーム１０）
８    垂下片（フレーム１１）
９    取付ネジ
１０    フレーム（壁パネル２）
１１    フレーム（天井パネル１）
１２    係合凹部
１３    側面（天井廻し縁５）
１４    側面（天井廻し縁５）
１５    端面（天井パネル１）
１６    端面（壁パネル２）
【図１】
2005307528.tif 000003
【図２】
2005307528.tif 000004
【図３】
2005307528.tif 000005